(57)【要約】【課題】放送用のスタジオカメラなどの撮像装置で、例えば、熟練した技術が無くとも簡単に光軸調整を行うことを可能とする。【解決手段】光学ブロック４の光軸を調整することが可能な撮像装置において、フロントフレーム１と、前記光学ブロック４の光軸を水平方向に調整する機構及び前記光学ブロック４の光軸を垂直方向に調整する機構を有する第１の調整板（Ｘ−Ｙ調整板２）と、前記光学ブロック４の光軸を回転方向に調整する機構を有する第２の調整板（ローテーション調整板３）と、前記光学ブロック４を含んで、組み立てられ、前記第１の調整板（Ｘ−Ｙ調整板２）及び前記第２の調整板（ローテーション調整板３）は、背面側から固定される。【選択図】  図１
2012156630.tif 000002
【特許請求の範囲】
【請求項１】
光学ブロックの光軸を調整することが可能な撮像装置において、
フロントフレームと、
前記光学ブロックの光軸を水平方向に調整する機構及び前記光学ブロックの光軸を垂直方向に調整する機構を有する第１の調整板と、
前記光学ブロックの光軸を回転方向に調整する機構を有する第２の調整板と、
前記光学ブロックを含んで、組み立てられ、
前記第１の調整板及び前記第２の調整板は、背面側から固定される、
ことを特徴とする撮像装置。
【発明の詳細な説明】
【技術分野】
【０００１】
本発明は、放送用のスタジオカメラなどの撮像装置に関し、特に、熟練した技術が無くとも簡単に光軸調整を行うことができる撮像装置に関する。
【背景技術】
【０００２】
図３（ａ）〜（ｅ）を参照して、背景技術の例に係る放送用のスタジオカメラの構成例や動作例を説明する。
本例のスタジオカメラについて、図３（ａ）には全体の外観斜視図を示してあり、図３（ｂ）には頭部の側面の断面図を示してあり、図３（ｃ）には頭部の背面図を示してある。
【０００３】
フロントフレーム１０１の背面に光軸調整板１０２が配置され、光軸調整板１０２に光学ブロック１０３が取り付けられている。光軸調整板１０２の上端では、中央に、図３（ｄ）に示されるように光軸調整板１０２の上下方向の位置を調整する調整ネジ１０４が設けられており、また、その左右のそれぞれに、図３（ｅ）に示されるように光軸調整板１０２の振り子方向の位置を調整する調整ネジ１０５ａ、１０５ｂが設けられている。
また、フロントフレーム１０１と光軸調整板１０２とは、前面から背面への固定ネジ１０６で固定される。
【０００４】
本例のスタジオカメラでは、フロントフレーム１０１に配置された光軸調整板１０２に光学ブロック１０３が取り付いている。そして、中央の調整ネジ１０４を左右に回転することにより、光軸調整板１０２が上下に動く。また、左右の調整ネジ１０５ａ、１０５ｂを左右に回転することにより、光軸調整板１０２が調整ネジ１０４を中心に振り子運動をする。これらの調整により、レンズの光軸に対して光学ブロック１０３の光軸を合わせる調整を行う。
また、この調整が完了した後には、前面のレンズを外して前側より固定ネジ１０６で光軸調整板１０２を固定する。
【先行技術文献】
【特許文献】
【０００５】
【特許文献１】特許第２８５００１０号公報
【特許文献２】特開平７−３３６５７３号公報
【特許文献３】実開平５−５７９７３号公報
【発明の概要】
【発明が解決しようとする課題】
【０００６】
しかしながら、図３（ａ）〜（ｅ）に示されるような背景技術の例に係る放送用のスタジオカメラでは、光軸調整板１０２が上下、振り子運動を行うため、上下の調整を行った後に左右、軸の傾きの調整を行おうとすると、上下位置がズレてしまい、また最初から調整をし直し調整幅を徐々に小さくして位置合わせを行う必要があった。
また、左右、回転は、左右の調整ネジ１０５ａ、１０５ｂで振り子運動にて行う構造で、光学ブロック１０３の光軸中心で回転するわけではなく、調整には熟練した技術が必要であった。
また、調整後は、レンズを外し、固定ネジ１０６で光軸調整板１０２を固定し、またレンズを装着して確認を行う必要があった。
【０００７】
本発明は、このような従来の事情に鑑み為されたもので、熟練した技術が無くとも簡単に光軸調整を行うことができる撮像装置を提供することを目的とする。
【課題を解決するための手段】
【０００８】
上記目的を達成するため、本発明では、光学ブロックの光軸を調整することが可能な撮像装置において、次のような構成とした。
すなわち、フロントフレームと、前記光学ブロックの光軸を水平方向に調整する機構及び前記光学ブロックの光軸を垂直方向に調整する機構を有する第１の調整板と、前記光学ブロックの光軸を回転方向に調整する機構を有する第２の調整板と、前記光学ブロックを含んで、組み立てられる。また、前記第１の調整板及び前記第２の調整板は、背面側から固定される。
【発明の効果】
【０００９】
以上説明したように、本発明に係る撮像装置によると、例えば、熟練した技術が無くとも簡単に光軸調整を行うことができる。
【図面の簡単な説明】
【００１０】
【図１】（ａ）〜（ｃ）は本発明の一実施例に係る放送用のスタジオカメラを説明するための図である。
【図２】（ａ）〜（ｉ）は本発明の一実施例に係る放送用のスタジオカメラを説明するための図である。
【図３】（ａ）〜（ｅ）は背景技術の例に係る放送用のスタジオカメラを説明するための図である。
【発明を実施するための形態】
【００１１】
本発明に係る実施例を図面を参照して説明する。
図１（ａ）〜（ｃ）及び図２（ａ）〜（ｉ）を参照して、本発明の一実施例に係る放送用のスタジオカメラの構成例や動作例を説明する。本例では、主に、調整機構の構造例や動作例を示す。
本例のスタジオカメラについて、図１（ａ）には全体の外観斜視図を示してあり、図１（ｂ）にはフロントフレーム１より背面側の内部構造の斜視図を示してあり、図１（ｃ）にはフロントフレーム１から光学ブロック４の間の分解斜視図を示してある。
【００１２】
また、本例のスタジオカメラについて、図２（ａ）にはフロントフレーム１から光学ブロック４を組み立てた外観斜視図を示してあり、図２（ｂ）にはフロントフレーム１から光学ブロック４を組み立てたものの背面図を示してあり、図２（ｃ）にはその左側面図（図２（ｂ）において、左側から見たもの）を示してあり、図２（ｄ）にはその右側面図（図２（ｂ）において、右側から見たもの）を示してあり、図２（ｅ）にはフロントフレーム１から光学ブロック４を組み立てたものを上方から見た図を示してあり、図２（ｆ）にはその断面図を示してある。
【００１３】
フロントフレーム１の背面側にＸ（左右）−Ｙ（上下）調整板２を取り付けるための枠１１が設けられており、その枠１１の中央部には円状の穴が設けられている。その枠１１に円状の穴が設けられたＸ−Ｙ調整板２が合わせられて、枠１１に設けられたネジ止め穴１２にＸ−Ｙ調整板２に設けられた穴２１を介してネジ（Ｘ−Ｙ調整板固定ネジ）８により固定される。
なお、本例では、このようなネジ止め穴１２、穴２１、ネジ８は、枠１１及びＸ−Ｙ調整板２の４隅に設けられており、そのうちの１組のみに符号を付してある。
【００１４】
Ｘ−Ｙ調整板２の背面側にローテーション（回転）調整板３が合わせられて、Ｘ−Ｙ調整板２に設けられたネジ止め穴２２、２３にローテーション調整板３に設けられた穴３１、３２を介してネジ（ローテーション板固定ネジ）９、１０により固定される。
ここで、ローテーション調整板３は、環状の平板（環状平板）と、この環状平板上の一方の側に取り付けられた穴３１を設けた平板と、この環状平板の対向する他方の側に取り付けられた上下の隅に穴３２を設けた部材３３から構成されている。この部材３３は外側（図１（ｃ）において、左側）に、縦（上下）方向に長い長方形の平面を有している。
【００１５】
なお、本例では、この部材３３の穴３２及びそれに対応するネジ止め穴２３、ネジ１０は、上下の２隅に設けられており、そのうちの１組のみに符号を付してある。
また、本例では、これらの穴３１、３２は楕円状となっており、ネジ９、１０に対して、幾らか余裕を有している。
ローテーション調整板３の背面側から、フロントフレーム１とＸ−Ｙ調整板２とローテーション調整板３に設けられた円状の穴を介して、光学ブロック４が取り付けられる。
【００１６】
フロントフレーム１等の上側において、フロントフレーム１の上側の突起部に設けられた穴１３を介して、Ｘ−Ｙ調整板２の上側の突起部に設けられたネジ止め穴２４に、Ｙ（上下）方向の調整ネジ５が取り付けられる。このＹ（上下）方向の調整ネジ５により、Ｘ−Ｙ調整板２を上下方向で調整することができる構造となっている。
【００１７】
フロントフレーム１等の片方の側面の側（本例では、図１（ｃ）において、左側）において、フロントフレーム１の側面側の突起部に設けられた穴１４を介して、Ｘ−Ｙ調整板２の側面側の突起部に設けられたネジ止め穴２５に、Ｘ（左右）方向の調整ネジ６が取り付けられる。このＸ（左右）方向の調整ネジ６により、Ｘ−Ｙ調整板２を左右方向で調整することができる構造となっている。
また、このＸ−Ｙ調整板２の側面側の突起部には、このネジ止め穴２５が縦（上下）方向の中央（又は、その付近）に設けられており、その上下のそれぞれにネジ穴２６ａ、２６ｂが設けられている。
【００１８】
フロントフレーム１等の片方の側面の側（本例では、図１（ｃ）において、左側）において、Ｘ−Ｙ調整板２の側面側の突起部に設けられた上側のネジ穴２６ａ及び下側のネジ穴２６ｂのそれぞれに、上側のローテーション（回転）調整ネジ７ａ及び下側のローテーション（回転）調整ネジ７ｂが取り付けられる。これらのローテーション（回転）調整ネジ７ａ、７ｂの先端部は、それぞれ、これらのネジ穴２６ａ、２６ｂを貫通して、ローテーション調整板３の片方の側面の側の部材３３の上方と下方に接触し、これにより、ローテーション調整板３を回転方向で調整することができる構造となっている。
【００１９】
ここで、本例では、フロントフレーム１（又は、それより前面側）にレンズが取り付けられ、また、光学ブロック４は、ＣＣＤ（Ｃｈａｒｇｅ  Ｃｏｕｐｌｅｄ  Ｄｅｖｉｃｅ）や撮像管等の撮像素子を内部又は外部に備えており、必要に応じてフィルタやプリズム等の光学系を有している。
そして、本例では、レンズの光軸と光学ブロック４（撮像素子など）の光軸とを合わせるように調整することを可能とする。
【００２０】
本例のスタジオカメラの光軸調整機構の動作例をより詳しく説明する。
フロントフレーム１に、Ｘ−Ｙ調整板固定ネジ８で半固定されているＸ−Ｙ調整板２がある。このＸ−Ｙ調整板２に、ローテーション板固定ネジ９でローテーション調整板３が半固定されている。このローテーション調整板３に光学ブロック４が固定されている。
【００２１】
図２（ｇ）に示されるように、例えば人の手で、Ｙ（上下）調整ネジ５を回すことにより、Ｘ−Ｙ調整板２の上下方向の位置を調整することができる。
図２（ｈ）に示されるように、例えば人の手で、Ｘ（左右）調整ネジ６を回すことにより、Ｘ−Ｙ調整板２の左右方向の位置を調整することができる。
図２（ｉ）に示されるように、例えば人の手で、ローテーション（回転）調整ネジ７ａ、７ｂを回すことにより、ローテーション調整板３の傾き（回転）を調整することができる。
本例では、これらにより光軸を調整した後に、Ｘ−Ｙ調整板固定ネジ８及びローテーション板固定ネジ９で後方より固定する。
【００２２】
以上のように、本例の放送用のスタジオカメラでは、スタジオカメラにレンズ（例えば、箱型ズームレンズ）を装着したときに、レンズとカメラ（撮像素子）等の光軸調整を垂直（上下）軸方向、水平（左右）軸方向、回転方向にそれぞれ独立で調整することができる構造としてあり、更に、光軸調整の終了後に必要な固定作業（ロック）を、レンズの取り外しをしないで行うことができる構造としてある。
【００２３】
具体的には、本例では、光学ブロック４を取り付けて調整を行う調整板の構造を、左右、上下、回転のそれぞれの運動を妨げないように独立した動きにするために、調整板を（背景技術の例に係る図３に示される構造における１枚から）２枚の構造とするように、構造を変更した。本例では、この２枚は、Ｘ−Ｙ調整板２とローテーション調整板３となる。
更に、本例では、調整の完了後における調整板の固定方法として、背面より行うことができる方法に変更して、これにより、レンズの取り外し無く固定することができる構造とした。
【００２４】
従って、本例の放送用のスタジオカメラでは、調整板の構造を変更することにより、例えば、熟練した技術が無くとも、簡単に光軸調整を行うことができ、また、調整の完了後にレンズの取り外しを行うことなく調整板を固定することができ、（例えば、背景技術の例に係る図３に示される構造と比べて）正確に効率良く光軸の調整をすることが可能となる。このように、本例では、特殊な技術を要することなく、簡単に、正確に、効率良く、レンズに対して光学ブロック４の光軸を素早く合わせることができる。
【００２５】
（以下、構成例の説明）
一構成例を示す。
光学ブロック（本例では、光学ブロック４）の光軸を調整することが可能な撮像装置（本例では、スタジオカメラ）において、
フロントフレーム（本例では、フロントフレーム１）と、
前記光学ブロックの光軸を水平方向に調整する機構（本例では、Ｘ調整ネジ６に関する機構）及び前記光学ブロックの光軸を垂直方向に調整する機構（本例では、Ｙ調整ネジ５に関する機構）を有する第１の調整板（本例では、Ｘ−Ｙ調整板２）と、
前記光学ブロックの光軸を回転方向に調整する機構（本例では、ローテーション調整ネジ７ａ、７ｂに関する機構）を有する第２の調整板（本例では、ローテーション調整板３）と、
前記光学ブロックを含んで、組み立てられ、
前記第１の調整板及び前記第２の調整板は、背面側（フロントフレームとは逆の側であり、光学ブロックの側）から固定される、
ことを特徴とする撮像装置。
【００２６】
従って、光学ブロックの光軸を水平方向及び垂直方向に調整することができる調整板と、光学ブロックの光軸を回転方向に調整することができる調整板を、別体で設けたため、水平方向と垂直方向をそれぞれ独立に調整することを可能とし、更に、回転方向を独立に調整することを可能とすることで、光軸調整を効率的、効果的に行うことができる。
また、２つの調整板は、例えばそれぞれ、ネジ等により背面側から固定される構造とすることで、レンズを外さずに固定することを可能とすることができ、光軸調整の効率化などを更に図ることができる。
なお、回転方向の調整は、例えば、光軸から外れた中心軸の周りの回転により行われる。
（以上、構成例の説明）
【符号の説明】
【００２７】
１、１０１・・フロントフレーム、  ２・・Ｘ−Ｙ調整板、  ３・・ローテーション（回転）調整板、  ４、１０３・・光学ブロック、  ５・・Ｙ（上下）調整ネジ、  ６・・Ｘ（左右）調整ネジ、  ７ａ、７ｂ・・ローテーション（回転）調整ネジ、  ８・・Ｘ−Ｙ調整板固定ネジ、  ９、１０・・ローテーション板固定ネジ、  １１・・枠、  １２、２２〜２５・・ネジ止め穴、  １３、１４、２１、３１、３２・・穴、  ２６ａ、２６ｂ・・ネジ穴、  ３３・・部材、  １０２・・光軸調整板、  １０４、１０５ａ、１０５ｂ・・調整ネジ、  １０６・・固定ネジ、
【図１】
2012156630.tif 000003
【図２】
2012156630.tif 000004
【図３】
2012156630.tif 000005